(57)【要約】 【課題】医用画像データに対するユーザ操作を繰り返す際の医用画像表示装置の操作性の向上を図ること。【解決手段】ＣＰＵ１０は、ユーザによる医用画像データに対する検像の操作を入力部２０からの操作信号に基づいて検知した場合には、当該医用画像データに検像のデータ処理を施す。そして、その検像の履歴を示す履歴データを検像履歴テーブル６４に蓄積的に記憶する。ＣＰＵ１０は、ユーザの操作に基づいて検像済みの医用画像データをＰＡＣＳのサーバに送信する。このとき、その送信の成否を判定し、当該判定の結果を示す判定データを検像履歴テーブル６４に記憶する。検像履歴画面で履歴データが選択された場合には、その履歴データに基づいて検像画像ＤＢ６２の医用画像データにデータ処理を施す。【選択図】図２
2008161532.tif 000002
【特許請求の範囲】
【請求項１】
他機から受信した医用画像データを表示する表示制御手段と、
前記受信した医用画像データを蓄積記憶する画像記憶手段と、
前記表示制御手段により表示された医用画像データにユーザ操作に応じたデータ処理を施すデータ処理手段と、
前記データ処理の処理内容を示す履歴データを当該データ処理を施した医用画像データの識別情報と対応付けて記憶する履歴記憶手段と、
前記履歴記憶手段に記憶された識別情報に基づいた医用画像データを前記画像記憶手段から読み出し、当該識別情報に対応付けられた前記履歴データに基づいて当該医用画像データにデータ処理を行う履歴再生制御手段と、
を備えることを特徴とする医用画像表示装置。
【請求項２】
前記データ処理手段は、
前記表示制御手段により表示された医用画像データに前記データ処理を施して他機に送信する送信処理手段と、
前記送信処理手段による医用画像データの送信の成否を判定する判定処理手段と、
を有し、
前記履歴記憶手段は、
前記判定処理手段による判定の結果を示す判定データを前記履歴データとして前記医用画像データの識別情報と対応付けて記憶する判定結果記憶手段を有し、
前記履歴再生制御手段は、
前記判定結果記憶手段に記憶された判定データに対応付けられた識別情報に基づいた医用画像データを前記画像記憶手段から読み出し、当該識別情報に対応付けられた前記履歴データに基づいて当該医用画像データに対するデータ処理を行う送信画像データ処理手段を有することを特徴とする請求項１に記載の医用画像表示装置。
【請求項３】
前記履歴データを一覧表示する履歴表示手段を更に備えることを特徴とする請求項１又は２に記載の医用画像表示装置。
【請求項４】
前記履歴表示手段により表示された履歴データを選択する選択手段を更に備え、
前記履歴再生制御手段は、
前記選択手段により選択された履歴データに対応付けられた識別情報に基づいた医用画像データを前記画像記憶手段から読み出し、当該履歴データに基づいて当該医用画像データにデータ処理を行う選択履歴再生手段を有することを特徴とする請求項３に記載の医用画像表示装置。
【請求項５】
コンピュータを、
他機から受信した医用画像データを表示する表示制御手段、
前記受信した医用画像データを蓄積記憶する画像記憶手段、
前記表示制御手段により表示された医用画像データにユーザ操作に応じたデータ処理を施すデータ処理手段、
前記データ処理の処理内容を示す履歴データを当該データ処理を施した医用画像データの識別情報と対応付けて記憶する履歴記憶手段、
前記履歴記憶手段に記憶された識別情報に基づいた医用画像データを前記画像記憶手段から読み出し、当該識別情報に対応付けられた前記履歴データに基づいて当該医用画像データにデータ処理を行う履歴再生制御手段、
として機能させるためのプログラム。
【発明の詳細な説明】
【技術分野】
【０００１】
本発明は、医用画像表示装置及びプログラムに関する。
【背景技術】
【０００２】
人体を撮影して、被写体の画像を含む医用画像データを生成するＣＴ（Computed Tomography）やＣＲ（Computed Radiography）、ＭＲＩ（Magnetic Resonance Imaging）、乳房撮影装置、超音波診断装置等といった様々な医用画像生成装置（以下、「モダリティ」という。）は、各種システムへ統合化される傾向にある。
【０００３】
具体的には、ＨＩＳ（Hospital Information System：病院情報システム）やＲＩＳ（Radiological Information System：放射線情報システム）から患者情報や検査情報を含むオーダ情報が送信され、モダリティは、撮影技師の操作に従ってそのオーダ情報に基づいた撮影を行う。そして、その撮影によって得られた画像を含む医用画像データを、例えば、ＤＩＣＯＭ（Digital Imaging and Communications in Medicine）規格に基づいたデータ形式で生成した後に、ＰＡＣＳ（Picture Archiving and Communication System：画像保管管理システム）にデータ転送する。
【０００４】
撮影技師は、医用画像データが転送される前に、オーダ情報通りの撮影を行ったか、診断に適した画質の医用画像であるか、医用画像データに含まれる各種情報が正しいか等を事前にチェック・確認する必要がある。このような点から、医用画像データの転送前に、当該医用画像データの確認及び修正を行う（以下、医用画像データの確認及び修正するという行為を「検像」という。）ための検像装置の実用化が望まれている。
【０００５】
検像装置は、ＨＩＳやＲＩＳから送信されるオーダ情報と、モダリティから送信される医用画像データとを受信し、オーダ情報及び医用画像データを表示して、撮影技師等のユーザ操作に応じて医用画像データの修正・調整等のデータ処理を行うための医用画像表示装置である。
【０００６】
具体的には、医用画像の画像データに付随する画像構成情報に基づいて変更の必要があると判定し、ウォーニング画面によりユーザの確認入力が為された場合に当該変更を行い画像サーバに送信する医用画像情報処理装置が知られている（特許文献１参照）。
【０００７】
【特許文献１】特開２００４−３３７３４７号公報
【発明の開示】
【発明が解決しようとする課題】
【０００８】
ところで、検像装置からＰＡＣＳへの医用画像データの送信が通信不良等により失敗した場合のように、再度を検像装置で検像を行ってＰＡＣＳに医用画像データを再送するという状況がある。しかし、この場合、ユーザは、特許文献１の医用画像情報処理装置のように画像データの変更の都度ウォーニング画面の確認入力を行わなければならず、過去に行った検像の操作を繰り返す必要があり、煩雑であった。
【０００９】
また、一般的にユーザの操作履歴を記録しておく機能があるが、この機能を単に検像装置に適用したとしても、ユーザは、その操作履歴を参照しながら同様の操作を繰り返す必要があり、煩雑であった。
【００１０】
本発明は、上述した課題に鑑みて為されたものであり、その目的とするところは、医用画像データに対するユーザ操作を繰り返す際の医用画像表示装置の操作性の向上を図ることである。
【課題を解決するための手段】
【００１１】
以上の課題を解決するために、請求項１に記載の医用画像表示装置は、
他機から受信した医用画像データを表示する表示制御手段と、
前記受信した医用画像データを蓄積記憶する画像記憶手段と、
前記表示制御手段により表示された医用画像データにユーザ操作に応じたデータ処理を施すデータ処理手段と、
前記データ処理の処理内容を示す履歴データを当該データ処理を施した医用画像データの識別情報と対応付けて記憶する履歴記憶手段と、
前記履歴記憶手段に記憶された識別情報に基づいた医用画像データを前記画像記憶手段から読み出し、当該識別情報に対応付けられた前記履歴データに基づいて当該医用画像データにデータ処理を行う履歴再生制御手段と、
を備えることを特徴としている。
【００１２】
請求項２に記載の発明は、請求項１に記載の発明において、
前記データ処理手段は、
前記表示制御手段により表示された医用画像データに前記データ処理を施して他機に送信する送信処理手段と、
前記送信処理手段による医用画像データの送信の成否を判定する判定手段と、
を有し、
前記履歴記憶手段は、
前記判定処理手段による判定の結果を示す判定データを前記履歴データとして前記医用画像データの識別情報と対応付けて記憶する判定結果記憶手段を有し、
前記履歴再生制御手段は、
前記判定結果記憶手段に記憶された判定データに対応付けられた識別情報に基づいて医用画像データを前記画像記憶手段から読み出し、当該識別情報に対応付けられた前記履歴データに基づいて当該医用画像データに対するデータ処理を行う送信画像データ処理手段を有することを特徴としている。
【００１３】
請求項３に記載の発明は、請求項１又は２に記載の発明において、前記履歴データを一覧表示する履歴表示手段を更に備えることを特徴としている。
【００１４】
請求項４に記載の発明は、請求項３に記載の発明において、
前記履歴表示手段により表示された履歴データを選択する選択手段を更に備え、
前記履歴再生制御手段は、
前記選択手段により選択された履歴データに対応付けられた識別情報に基づいた医用画像データを前記画像記憶手段から読み出し、当該履歴データに基づいて当該医用画像データにデータ処理を行う選択履歴再生手段を有することを特徴としている。
【００１５】
請求項５に記載の発明は、コンピュータを、
他機から受信した医用画像データを表示する表示制御手段、
前記受信した医用画像データを蓄積記憶する画像記憶手段、
前記表示制御手段により表示された医用画像データにユーザ操作に応じたデータ処理を施すデータ処理手段、
前記データ処理の処理内容を示す履歴データを当該データ処理を施した医用画像データの識別情報と対応付けて記憶する履歴記憶手段、
前記履歴記憶手段に記憶された識別情報に基づいた医用画像データを前記画像記憶手段から読み出し、当該識別情報に対応付けられた前記履歴データに基づいて当該医用画像データにデータ処理を行う履歴再生制御手段、
として機能させることを特徴としている。
【発明の効果】
【００１６】
請求項１及び５に記載の発明によれば、履歴記憶手段に記憶された識別情報に基づいた医用画像データを読み出し、当該識別情報に対応付けられた履歴データに基づいてその読み出した医用画像データにデータ処理を行う。このため、ユーザは、過去に行った医用画像データに対する操作を繰り返すことなく、同一の操作に応じたデータ処理が施された医用画像データを得ることができる。従って、医用画像データに対するユーザ操作を繰り返す際の医用画像表示装置の操作性の向上を図ることである。
【００１７】
請求項２に記載の発明によれば、請求項１に記載の発明と同様の効果が得られるのは無論のこと、医用画像データの送信の成否に応じたデータ処理が医用画像データに施される。このため、例えば、医用画像データの送信に失敗した際に、ユーザは過去に行った医用画像データに対する操作を繰り返すことなく、同一の操作に応じたデータ処理が施された医用画像データを得ることができる。
【００１８】
請求項３に記載の発明によれば、請求項１に記載の発明と同様の効果が得られるのは無論のこと、履歴データが一覧表示されるため、ユーザは、過去に行った医用画像データに対する操作を確認することができる。
【００１９】
請求項４に記載の発明によれば、請求項３に記載の発明と同様の効果が得られるのは無論のこと、選択された履歴データに対応付けられた識別情報に基づいた医用画像データに、当該履歴データに基づいたデータ処理を行う。このため、ユーザは、過去に行った医用画像データに対する操作履歴を選択することで、その操作を繰り返すことなく、同一の操作に応じたデータ処理が施された医用画像データを得ることができる。
【発明を実施するための最良の形態】
【００２０】
以下、本発明の医用画像表示装置を図１の検像装置１に適用した場合の実施形態について図１〜図１４を参照して説明する。
【００２１】
先ず、検像装置１を有する放射線科システムＳのシステム構成について図１を用いて説明する。図１は、放射線科システムＳのシステム構成の一例を示すブロック図である。図１によれば、放射線科システムＳは、モダリティＭと、検像装置１と、ＰＡＣＳ２と、ＲＩＳ（放射線情報システム）５とが通信ネットワークＮに接続されて、それぞれがデータ通信可能に構成されている。
【００２２】
ＲＩＳ５は、ＣＰＵ（Central Processing Unit）や記憶部、入力部、表示部、通信部等を有するコンピュータにより構成され、放射線科部門内における診療予約、診断結果のレポート、実績管理、材料在庫管理等の情報管理を行い、放射線科システムＳ内の情報を統括的に管理するシステムである。
【００２３】
ＲＩＳ５はＨＩＳから送信されたオーダ情報ＤＴ５を受信し、そのオーダ情報ＤＴ５に基づいて、撮影を行うモダリティＭを判別して、当該オーダ情報ＤＴ５をモダリティＭに送信する。また、モダリティＭへのオーダ情報ＤＴ５の送信と共に、検像装置１へも同じオーダ情報ＤＴ５を送信する。
【００２４】
オーダ情報ＤＴ５とは、撮影や診察のオーダの内容を示すデータであり、患者情報、検査情報及びシリーズ情報を含む。患者情報は、撮影を行う患者の受付番号や氏名、ＩＤ、性別等の患者毎に設定されたデータである。検査情報は、医師がオーダした検査を識別する検査ＩＤ、検査部位、撮影方向及び体位といった検査条件を示すデータである。
【００２５】
また、シリーズ情報は、一つの検査の中で生成されるモダリティＭ毎の一連の医用画像データの単位を示すシリーズＩＤや当該モダリティＭの種別を含むデータである。ここで、シリーズとは、一つの検査の中で生成される同じ種類のモダリティで撮影された一連の医用画像データの単位のことをいう。
【００２６】
モダリティＭは、ＣＴやＣＲ、ＭＲＩ、乳房撮影装置、超音波診断装置等であり、撮影技師の操作に従って撮影して得られた画像のデータ信号をＤＩＣＯＭ規格に則したデジタルデータに変換して医用画像データＤＴ１を生成する。モダリティＭは、生成した医用画像データＤＴ１を検像装置１に送信する。
【００２７】
例えば、ＣＲは、被写体に放射線を照射して、その被写体を透過した放射線をプレート状の輝尽性蛍光体に吸収させる。そして、この輝尽性蛍光体を例えばレーザ光で走査しながら励起することにより、この輝尽性蛍光体が蓄積している放射線エネルギを発光させ、その発光を光電変換して得られた放射線画像のデータ信号をデジタル変換して被写体の画像データを生成する。
【００２８】
図１に、医用画像データＤＴ１のデータ構造の一例を示す。図１によれば、医用画像データＤＴ１は、付帯情報ＤＴ２と、実画像データＤＴ３とを有して構成される。付帯情報ＤＴ２は、患者情報ＤＴ２０と、検査情報ＤＴ２１と、シリーズ情報ＤＴ２２と、画像詳細情報とを含み、例えば、ＤＩＣＯＭ規格に則って記述される。
【００２９】
患者情報ＤＴ２０、検査情報ＤＴ２１及びシリーズ情報ＤＴ２２は、ＲＩＳ５から送信されたオーダ情報ＤＴ５に基づいて設定される。画像詳細情報ＤＴ２３は、当該画像詳細情報ＤＴ２３に対応付けられたシリーズ情報ＤＴ２２のＩＤと、医用画像が生成された際に付された医用画像データＤＴ１毎の画像番号と、画像が生成された画像時刻等の画像管理や画像生成に関する各種情報とを含んで構成される。これらの付帯情報ＤＴ２は、当該付帯情報ＤＴ２を有する医用画像データＤＴ１を個々に識別するための識別情報となる。
【００３０】
検像装置１は、ＲＩＳ５から送信されるオーダ情報ＤＴ５と、モダリティＭから送信される医用画像データＤＴ１とを受信して、後述するデータベースにデータを蓄積していき、撮影技師の検像を待機する。
【００３１】
検像とは、オーダ情報ＤＴ５通りの撮影を行ったか、実画像データＤＴ３が診断に適した画質であるか、オーダ情報ＤＴ５と付帯情報ＤＴ２との整合性が取れているか等を医用画像データＤＴ１のＰＡＣＳ２への送信前に確認及び修正する行為である。撮影技師が各医用画像データＤＴ１の検像を行った後に、当該撮影技師の操作に従ってその医用画像データＤＴ１がＰＡＣＳ２に転送される。
【００３２】
ＰＡＣＳ２は、検像装置１から送信される医用画像データＤＴ１を保存管理し、検索やデータ解析を行うデータベースシステムであり、図１に示すようにサーバ３とクライアント４（４ａ，４ｂ）とが通信ネットワークＮを介して接続されて構成される。このサーバ３及びクライアント４は、一般的なコンピュータにより実現が可能であり、ＣＰＵや記憶部、通信部等を備えて構成される。
【００３３】
サーバ３は、検像装置１から受信した医用画像データＤＴ１に含まれる付帯情報ＤＴ２に基づいて当該医用画像データＤＴ１を蓄積的に記憶していく。そして、読影医等のユーザの操作指示に応じて指定された患者ＩＤや検査ＩＤ等を検索キーとして医用画像データＤＴ１を検索し、クライアント４に送信する。
【００３４】
クライアント４は、ＬＣＤ（Liquid Crystal Display）等を備えて構成され、医用画像データＤＴ１に基づいた医用画像を表示する医用画像表示装置である。読影医等が表示する医用画像データＤＴ１をクライアント４において指定すると、その医用画像データＤＴ１がサーバ３から読み出されて再生される。
【００３５】
次に、検像装置１の機能構成について説明する。図２は、検像装置１の機能構成の一例を示すブロック図である。図２によれば、検像装置１は、ＣＰＵ１０と、入力部２０と、表示部３０と、通信部４０と、ＲＡＭ（Random Access Memory）５０と、記憶部６０とを備えて構成される。
【００３６】
ＣＰＵ１０は、各機能部の動作の制御と、機能部間のデータ入出力の制御等を行うことで検像装置１を統括的に管理・制御する制御部である。具体的には、入力部２０から入力される操作信号に応じてＲＯＭ５０や記憶部６０に格納されたプログラムを読み出し、当該プログラムに従った処理を実行する。そして、その処理結果に基づいて、表示部３０の表示画面の更新や記憶部６０へのデータの記憶、外部機器とのデータ通信等を行う。
【００３７】
入力部２０は、カーソルキーやテンキー等の各種キー群や、マウスやタッチパネル等のポインティングデバイスを備えて構成される。入力部２０は、ユーザに押下されたキーに対応する操作信号や、ポインティングデバイスにより指定された画面上の座標位置に対応する操作信号をＣＰＵ１０に出力する。
【００３８】
表示部３０は、ＣＲＴ（Cathode-ray Tube）やＬＣＤ等により構成され、ＣＰＵ１０の制御に基づいた表示画面の表示や、医用画像データＤＴ１の再生表示等を行う。通信部４０は、ＬＡＮインターフェイス等により構成され、通信ネットワークＮを介してＲＩＳ５やモダリティＭ、ＰＡＣＳ２等の外部機器との間でデータ通信を行う機能部である。
【００３９】
ＲＡＭ５０は、書き換え可能な半導体素子等で構成され、ＣＰＵ１０が実行する各種プログラムやこれらのプログラムの実行に係るデータ等を一時的に保持する。
【００４０】
記憶部６０は、データの読み書きを行う不揮発性のメモリであり、フラッシュメモリやＨＤＤ（Hard Disk Drive）等により構成される。記憶部６０は、各種初期設定、ハードウェアの検査、又は必要なプログラムのロード等を行うための初期プログラムを格納する。
【００４１】
図２によれば、ＲＡＭ５０は、検像中画像テーブル５１と、不整合判定テーブル５２と、転送画像テーブル５３とを記憶している。また、記憶部６０は、オーダ情報ＤＢ６１と、検像画像ＤＢ６２と、比較対象項目ファイル６３と、検像履歴テーブル６４とを記憶している。
【００４２】
記憶部６０のオーダ情報ＤＢ６１は、ＲＩＳ５から通信部４０を介して受信したオーダ情報ＤＴ５を蓄積的に記憶するデータベースである。また、検像画像ＤＢ６２は、モダリティＭから通信部４０を介して受信した医用画像データＤＴ１を蓄積的に記憶するデータベースである。
【００４３】
ＣＰＵ１０は、ＲＩＳ５からオーダ情報ＤＴ５を受信すると、当該オーダ情報ＤＴ５をオーダ情報ＤＢ６１に記憶する。また、モダリティＭから医用画像データＤＴ１を受信すると、当該医用画像データＤＴ１を検像画像ＤＢ６２に記憶する。
【００４４】
ユーザは、検像の対象の医用画像の検査ＩＤを入力・指定する。このとき、ＣＰＵ１０は、ユーザにより入力・指定された検査ＩＤを付帯情報ＤＴ２中に含む医用画像データＤＴ１を検像画像ＤＢ６２から読み出し、ＲＡＭ５０の検像中画像テーブル５１に記憶する。検像中画像テーブル５１は、ユーザが検像の対象として指定した医用画像データＤＴ１を一時的に記憶するデータテーブルである。
【００４５】
そして、ＣＰＵ１０は、検像中画像テーブル５１に記憶した医用画像データＤＴ１の付帯情報ＤＴ２中の検査ＩＤと同一の検査ＩＤを有するオーダ情報ＤＴ５をオーダ情報ＤＢ６１から読み出し、そのオーダ情報ＤＴ５と付帯情報ＤＴ２の各項目のデータを比較する。このとき、ＣＰＵ１０は、比較対象項目ファイル６３を参照して比較対象のデータをオーダ情報ＤＴ５及び付帯情報ＤＴ２から抽出する。
【００４６】
図３に比較対象項目ファイル６３のデータ構成の一例を示す。比較対象項目ファイル６３は、オーダ情報ＤＴ５と付帯情報ＤＴ２との比較の対象となる項目（比較対象項目）を示す項目データを記憶するファイルであり、初期設定等により予め設定される。図３に示すように、比較対象項目ファイル６３は、患者ＩＤ、氏名（ローマ字、漢字、カナ）、受付番号、検査ＩＤといった項目データを記憶する。
【００４７】
ＣＰＵ１０は、この比較対象項目ファイル６３に記憶された項目データが示す比較対象項目のデータをオーダ情報ＤＴ５及び付帯情報ＤＴ２からそれぞれ抽出する。そして、この抽出した比較対象項目のデータを、不整合判定テーブル５２に記憶する。不整合判定テーブル５２は、図４に示すように比較対象項目毎の付帯情報と、オーダ情報と、不整合フラグとを対応付けて記憶するデータテーブルである。
【００４８】
不整合フラグは、付帯情報とオーダ情報を比較した結果、一致するか否かを示すフラグであり、一致する場合にＯＦＦ、不一致の場合にＯＮが設定される。図４においては、比較対象項目の「受付番号」が不一致であるために、不整合フラグにＯＮが設定されている。
【００４９】
ユーザは、この不整合判定テーブル５２の不整合フラグを図１１に示す不整合修正画面１１０において確認することができる。ＣＰＵ１０は、不整合判定テーブル５２の比較対象項目、付帯情報、オーダ情報及び不整合フラグを不整合修正画面１１０中に一覧表示させる。
【００５０】
この不整合修正画面１１０中の各比較対象項目に、部分書換ボタン１１１を表示させる。この部分書換ボタン１１１のユーザによる指定をＣＰＵ１０が検知した場合には、その部分書換ボタン１１１の比較対象項目に対応する不整合判定テーブル５２の付帯情報を当該付帯情報に対応付けられたオーダ情報で書き換える。
【００５１】
また、不整合修正画面１１０中の一括書換ボタン１１２の指定を検知した場合には、不整合判定テーブル５２の全ての付帯情報を、当該付帯情報に対応付けられたオーダ情報で書き換える。そして、ＣＰＵ１０は、ＯＫボタン１１４の指定を検知した場合には、その書き換えた付帯情報を検像中画像テーブル５１中の医用画像データＤＴ１の付帯情報ＤＴ２として設定・更新する。
【００５２】
図２に示す転送画像テーブル５３は、検像装置１からＰＡＣＳ２のサーバ３に転送する医用画像データＤＴ１を一時的に記憶するデータテーブルである。ＣＰＵ１０は、図１０の検像リスト画面１００を表示部３０に表示させた後、その画面内の画像確認ボタン１０３のユーザによる指定を検知すると、図１２に示すような画像確認画面１２０を表示させる。
【００５３】
検像リスト画面１００は、検像画像ＤＢ６２に記憶された医用画像データＤＴ１を一覧表示する画面であり、図１０に示すように一覧リスト１０１と、転送ボタン１０２と、検像履歴ボタン１０５と、画像確認ボタン１０３と、不整合修正ボタン１０４とが含まれる。
【００５４】
転送ボタン１０２は、検像済みの医用画像データＤＴ１をＰＡＣＳ２に転送させるためのボタンであり、ユーザにより指定された場合に、転送画像テーブル５３に記憶されている医用画像データＤＴ１がＰＡＣＳ２に送信される。不整合修正ボタン１０４は、図１１に示す不整合修正画面１１０を表示させるためのボタンである。
【００５５】
画像確認ボタン１０３は、画像確認画面１２０を表示させるためのボタンである。ＣＰＵ１０は、画像確認ボタン１０３の指定を検知すると、検像リスト画面１００の一覧リスト１０１上で選択されていた医用画像データＤＴ１の検査ＩＤと同一の検査ＩＤを有する医用画像データＤＴ１を検像画像ＤＢ６２から読み出し、その医用画像データＤＴ１のコピーを生成して検像中画像テーブル５１に記憶する。そして、その検像中画像テーブル５１中の医用画像データＤＴ１に基づいた医用画像を画像確認画面１２０上に表示する。
【００５６】
画像確認画面１２０には、再生表示された医用画像毎にＯＫボタン１２２及びＮＧボタン１２３が表示されると共に、画像処理ボタン１２４と、シリーズ分割ボタン１２５と、検査終了ボタン１２６とが表示される。ユーザは、この画像確認画面１２０に表示された医用画像を確認して、ＰＡＣＳ２に転送してよければ当該医用画像に対応するＯＫボタン１２２を指定する。このとき、ＣＰＵ１０は、ＯＫボタン１２２の指定を検知すると、当該ＯＫボタン１２２に対応する医用画像データＤＴ１のコピーを生成して、転送画像テーブル５３に記憶する。
【００５７】
画像処理ボタン１２４は、画像確認画面１２０に表示している医用画像に画像処理を施すためのボタンであり、より詳しくは濃度ボタン、コントラストボタン、反転／回転ボタン及びマスキングボタン等を有する。ＣＰＵ１０は、これらの画像処理ボタン１２４の指定を検知すると、その指定された画像処理ボタン１２４に応じた画像処理を検像中画像テーブル５１中の医用画像データＤＴ１の実画像データＤＴ３に施して更新する。
【００５８】
具体的には、例えば、コントラストボタンのユーザによるスライドを検知した場合には、そのスライドの比率に応じて実画像データＤＴ３のコントラストを調整して当該実画像データＤＴ３を更新する。
【００５９】
シリーズ分割ボタン１２５は、同一のシリーズの医用画像データＤＴ１を複数のシリーズに分割するためのシリーズ分割画面１３０（図１３参照）を表示させるためのボタンである。シリーズ分割画面１３０には、図１３に示すように複数のシリーズ領域１３１が表示される。各シリーズ領域１３１は、同一シリーズの医用画像データＤＴ１を区分して表示するための表示領域である。
【００６０】
ＣＰＵ１０は、検像中画像テーブル５１に記憶された医用画像データＤＴ１のシリーズ情報ＤＴ２２に基づいて、同一のシリーズＩＤを有する医用画像データＤＴ１をシリーズ領域１３１毎に表示せる。図１３においては、医用画像１３２ａ〜１３２ｃが同一のシリーズとしてシリーズ領域１３１に表示されている。
【００６１】
ユーザは、この同一シリーズの医用画像１３２を他のシリーズとして分割する際には、入力部２０を操作（例えば、ドラッグアンドドロップ操作）して、所望の医用画像を指定して他のシリーズ領域１３１に移動させるシリーズ分割操作を行う。ＣＰＵ１０は、このシリーズ分割操作を検知した際には、その指定された医用画像データＤＴ１のシリーズ情報ＤＴ２２を新たなシリーズ情報ＤＴ２２で更新することで、シリーズの分割を行う。
【００６２】
検像履歴ボタン１０５は、検像履歴テーブル６４のデータ内容を表示する検像履歴画面１４０を表示させるためのボタンである。図５に検像履歴テーブル６４のデータ構成の一例を示す。図５によれば、検像履歴テーブル６４は、日時情報と、検査ＩＤと、シリーズＩＤと、画像番号と、履歴データとを対応付けて記憶している。履歴データは、検像装置１が行ったデータ処理の履歴を示すデータであり、ユーザによる検像操作を示す操作データや送信の成否の判定結果を示す判定データを含む。
【００６３】
ＣＰＵ１０は、ユーザにより検像が行われ、その検像の操作を検知すると、現在日時と、その検像が行われた医用画像データＤＴ１の検査ＩＤ、シリーズＩＤ及び画像番号とを取得して、当該操作を示す操作データ（履歴データ）と対応付けて検像履歴テーブル６４に記憶する。
【００６４】
また、転送画像テーブル５３に記憶した医用画像データＤＴ１をＰＡＣＳ２に転送した際にも、現在日時と、その転送した医用画像データＤＴ１の検査ＩＤ、シリーズＩＤ及び画像番号とを取得して、判定データ（履歴データ）と対応付けて検像履歴テーブル６４に記憶する。
【００６５】
判定データは、医用画像データＤＴ１の送信の成否を示すデータであり、検像装置１から送信した医用画像データＤＴ１の全てがＰＡＣＳ２によって受信されたか否かに応じて設定される。例えば、ＣＰＵ１０は、医用画像データＤＴ１をＰＡＣＳ２に送信する際に、送信する医用画像データＤＴ１のデータ量を示すサイズデータをＰＡＣＳ２のサーバ３に予め送信しておく。
【００６６】
サーバ３は、検像装置１から受信した医用画像データＤＴ１の枚数とデータ容量と、予め受信したサイズデータとに基づいて、全医用画像データＤＴ１を受信したか否かを判定する。このとき、全医用画像データＤＴ１を受信した場合には、受信の成功を示す受信成功信号を検像装置１に送信し、全医用画像データＤＴ１を受信していない場合には、受信の失敗を示す受信失敗信号を検像装置１に送信する。
【００６７】
検像装置１のＣＰＵ１０は、サーバ３から送信される受信成功信号又は受信失敗信号に基づいて医用画像データＤＴ１の送信の成否を判定する。尚、この医用画像データＤＴ１の送信の成否の判定方法は、適宜公知技術を採用可能である。
【００６８】
ＣＰＵ１０は、検像リスト画面１００中の検像履歴ボタン１０５のユーザによる指定を検知すると、検像履歴テーブル６４を読み出して図１４に示すような検像履歴画面１４０を表示部３０に表示させる。ユーザは、この検像履歴画面１４０内の一覧リスト１０１により、過去に行った検像の履歴を確認することができる。
【００６９】
検像履歴画面１４０は、検像結果の一覧リスト１０１の他に、再検像ボタン１４３と、ＯＫボタン１４４と、キャンセルボタン１４５とが表示される。このとき、各検像結果には選択ボタン１４２が表示される。
【００７０】
選択ボタン１４２は、当該選択ボタン１４２に対応付けられた履歴データを選択するためのボタンである。ユーザは、選択ボタン１４２を指定することで、その選択ボタン１４２に対応する検像結果の内容を再び検像装置１に行わせて検像が施された医用画像データＤＴ１を得ることができる。
【００７１】
ＣＰＵ１０は、再検像ボタン１４３の指定を検知すると、検像履歴画面１４０上で指定されている選択ボタン１４２を検知して、当該選択ボタン１４２に対応する履歴データを検像履歴テーブル６４から読み出す。そして、その履歴データに対応付けられた検査ＩＤ、シリーズＩＤ及び画像番号を含む医用画像データＤＴ１を検像画像ＤＢ６２から読み出し、当該履歴データに基づいて過去に行われた検像のデータ処理を当該医用画像データＤＴ１に施す。
【００７２】
また、指定された選択ボタン１４２に対応する履歴データが送信の成否を示す判定データである場合には、その判定データに対応する検査ＩＤ及びシリーズＩＤを含む医用画像データＤＴ１を検像画像ＤＢ６２から読み出す。そして、その履歴データに対応付けられた検査ＩＤ及びシリーズＩＤと同一のＩＤが対応付けられた履歴データを検像履歴テーブル６４から読み出し、その履歴データの検像のデータ処理を医用画像データＤＴ１に施す。
【００７３】
このように、検像履歴画面１４０において選択ボタン１４２を指定することで、過去に行ったユーザの検像のデータ処理が検像画像ＤＢ６２に記憶された医用画像データＤＴ１に施されて、ユーザの検像の操作が再度行われるようになる。
【００７４】
次に、放射線科システムＳの具体的な動作について図６〜図９のフローチャートと、図１０〜図１４の表示画面例を参照して説明する。
【００７５】
先ず、ＲＩＳ５においてオーダ情報ＤＴ５が医師等のユーザにより入力され登録されると（ステップＡ１）、そのオーダ情報ＤＴ５がモダリティＭと検像装置１とに送信される（ステップＡ２）。
【００７６】
モダリティＭでは、このオーダ情報ＤＴ５を受信すると（ステップＢ１）、当該オーダ情報ＤＴ５に基づいて撮影を開始し（ステップＢ２）、当該オーダ情報ＤＴ５に基づいた付帯情報ＤＴ２を含む医用画像データＤＴ１を生成する（ステップＢ３）。そして、その生成した医用画像データＤＴ１を検像装置１に送信する（ステップＢ４）。
【００７７】
検像装置１では、ＣＰＵ１０が、ＲＩＳ５からのオーダ情報ＤＴ５を受信すると（ステップＤ２）、当該オーダ情報ＤＴ５をオーダ情報ＤＢ６１に記憶する（ステップＤ３）。また、モダリティＭからの医用画像データＤＴ１を受信すると（ステップＤ３）、当該医用画像データＤＴ１を検像画像ＤＢ６２に記憶する（ステップＤ４）。
【００７８】
そして、ＣＰＵ１０は、オーダ情報ＤＢ６１及び検像画像ＤＢ６２に記憶したオーダ情報ＤＴ５及び医用画像データＤＴ１を用いて図７〜図９に示す検像処理を開始する（ステップＤ６）。この検像処理の詳細については後述するが、簡単には、付帯情報ＤＴ２の不整合のチェックや修正、医用画像に対する画像処理等の検像をユーザ操作に従って行うと共に、その検像の履歴を検像履歴テーブル６４に記憶していく。
【００７９】
図６においてＣＰＵ１０は、検像処理を終了すると、検像リスト画面１００上の転送ボタン１０２が押下されたか否かを判定する（ステップＤ７）。そして、入力部２０からの操作信号に基づいて転送ボタン１０２が押下されたことを検知した場合には（ステップＤ７；Ｙｅｓ）、転送画像テーブル５３に記憶している医用画像データＤＴ１をＰＡＣＳ２のサーバ３に送信する（ステップＤ１１）。
【００８０】
サーバ３側では、検像装置１から医用画像データＤＴ１を受信すると（ステップＣ１）、上述したように全ての医用画像データＤＴ１を受信したか否かを判定する（ステップＣ２）。そして、全医用画像を受信していないと判定した場合には（ステップＣ２；Ｎｏ）、受信失敗信号を検像装置１に送信した後に、ステップＣ１に処理を移行する。
【００８１】
また、全医用画像を受信したと判定した場合には（ステップＣ２；Ｙｅｓ）、受信成功信号を検像装置１に送信して、画像管理ＤＢに受信した医用画像データＤＴ１を記憶する（ステップＣ５）。
【００８２】
検像装置１側で、ＣＰＵ１０は、医用画像データＤＴ１の送信後に、サーバ３から送信されてくる受信成功信号又は受信失敗成功に基づいて医用画像データＤＴ１の送の成否を判定する（ステップＤ１２）。このとき、受信成功信号を受信して医用画像データＤＴ１の送信に成功したと判定した場合には（ステップＤ１２；Ｙｅｓ）、その送信の成功を示す判定データを検像履歴テーブル６４に記憶する（ステップＤ１３）。
【００８３】
また、受信失敗信号を受信して医用画像データＤＴ１の送信に失敗したと判定した場合には（ステップＤ１２；Ｎｏ）、その送信の失敗を示す判定データを検像履歴テーブル６４に記憶する（ステップＤ１４）。
【００８４】
次に、ステップＤ６における検像処理の詳細について説明する。ＣＰＵ１０は、検像画像ＤＢ６２から医用画像データＤＴ１を読み出し、その医用画像データＤＴ１から付帯情報ＤＴ２を取得すると共に（ステップＥ１）、その付帯情報ＤＴ２と同一の検査ＩＤを有するオーダ情報ＤＴ５をオーダ情報ＤＢ６１から読み出す（ステップＥ２）。
【００８５】
そして、ステップＥ１及びＥ２において読み出した付帯情報ＤＴ２とオーダ情報ＤＴ５とから比較対象項目のデータを抽出して、不整合判定テーブル５２に記憶した後（ステップＥ３）、その比較対象項目のデータをそれぞれ比較して不整合フラグのＯＮ／ＯＦＦを不整合判定テーブル５２に設定・記憶する（ステップＥ４）。
【００８６】
ＣＰＵ１０は、不整合判定テーブル５２に記憶した不整合フラグに基づいて不一致な付帯情報ＤＴ２の比較対象項目があるか否かを判定する（ステップＥ５）。このとき、不一致な比較対象項目があると判定した場合には（ステップＥ５；Ｙｅｓ）、図１０の「ＮＧ有」のような不整合がある旨を示す不整合通知情報１０６を一覧リスト１０１上に表示させる（ステップ）。
【００８７】
また、不一致な比較対象項目がないと判定した場合には（ステップＥ５；Ｎｏ）、不整合通知情報１０６を含まない標準の検像リスト画面１００を表示部３０に表示させる（ステップＥ８）。
【００８８】
ＣＰＵ１０は、ステップＥ６において不整合通知情報１０６を含む検像リスト画面１００を表示させた後に、不整合修正ボタン１０４が押下されたことを入力部２０からの操作信号に基づいて検知した場合には（ステップＥ７：Ｙｅｓ）、検像リスト画面１００上で選択されている医用画像データＤＴ１に対応する不整合判定テーブル５２を読み出して、当該不整合判定テーブル５２に基づいて不整合修正画面１１０を表示部３０に表示させる（ステップＥ９）。
【００８９】
そして、検像リスト画面１００上で選択されている医用画像データＤＴ１を検像画像ＤＢ６２から読み出して、当該医用画像データＤＴ１のコピー（複製）を生成して検像中画像テーブル５１に記憶する（ステップＥ１０）。
【００９０】
ＣＰＵ１０は、不整合修正画面１１０上の部分書換ボタン１１１、一括書換ボタン１１２及びキャンセルボタン１１３の押下に応じた処理を行う。具体的には、部分書換ボタン１１１の押下を入力部２０からの操作信号に応じて検知した場合には（ステップＥ１１；Ｙｅｓ）、その押下された部分書換ボタン１１１に対応する不整合判定テーブル５２の付帯情報の比較対象項目を対応付けられたオーダ情報で仮書き換えする（ステップＥ１２）。
【００９１】
また、一括書換ボタン１１２が押下されたことを検知した場合には（ステップＥ１３；Ｙｅｓ）、不整合判定テーブル５２の全付帯情報を対応するオーダ情報で仮書き換えする（ステップＥ１４）。
【００９２】
また、キャンセルボタン１１３が押下されたことを検知した場合には（ステップＥ１５；Ｙｅｓ）、ステップＥ１２又はＥ１４において仮書き換えした付帯情報ＤＴ２を検像画像ＤＢ６２に記憶されたオリジナルの医用画像データＤＴ１中の付帯情報ＤＴ２によって更新することで、その仮書き換えした情報をリセットし（ステップＥ１６）、ステップＥ２２に処理を移行する。
【００９３】
ＣＰＵ１０は、ステップＥ１２、Ｅ１４の処理後、又はステップＥ１５においてキャンセルボタン１１３が押下されないと判定した場合（ステップＥ１５；Ｎｏ）、ＯＫボタン１１４が押下されたか否かを判定する（ステップＥ１７）。このとき、ＯＫボタン１１４が押下されたことを検知した場合には（ステップＥ１７；Ｙｅｓ）、ステップＥ１２又はＥ１４において処理した付帯情報ＤＴ２の書き換えの内容を検像履歴テーブル６４の履歴データとして記憶する（ステップＥ１８）。
【００９４】
そして、検像中画像テーブル５１内の医用画像データＤＴ１の付帯情報ＤＴ２をステップＥ１２及びＥ１４の書き仮換え内容に基づいて書き換えて更新し（ステップＥ１９）、その書き換えた比較対象項目に対応する不整合判定テーブル５２の不整合フラグをＯＦＦに変更して設定する（ステップＥ２０）。
【００９５】
例えば、図１０においてＮｏ．１０の医用画像データＤＴ１０１を選択した状態で不整合修正ボタン１０４を押下した場合、図１１に示すような不整合修正画面１１０が表示される。そして、「受付番号」に対応する部分書換ボタン１１１を押下した場合には、図４の不整合判定テーブル５２の受付番号‘１１１１１１１１’が受付番号‘１０５０８２９００３’で仮書き換えされる。
【００９６】
また、ＯＫボタン１１４の押下により、その仮書き換えが確定されて検像中画像テーブル５１に記憶している医用画像データＤＴ１の付帯情報ＤＴ２が更新される。このとき、不整合判定テーブル５２の受付番号の不整合フラグ「ＯＮ」が「ＯＦＦ」に変更される。また、図５の検像履歴テーブル６４のように、受付番号を変更した旨の操作データ（履歴データ）が医用画像データＤＴ１を識別する検査ＩＤ、シリーズＩＤ及び画像番号と共に記憶される。
【００９７】
ＣＰＵ１０は、不整合判定テーブル５２に不整合フラグの「ＯＮ」が記憶されているか否かを判定して（ステップＥ２１）、記憶されている場合には（ステップＥ２１；Ｙｅｓ）、ステップＥ９に処理を移行して、再度不整合修正画面１１０を表示部３０に表示させる。また、不整合フラグ「ＯＮ」が記憶されていないと判定した場合（ステップＥ２１；Ｎｏ）、ステップＥ１６の処理後には、ステップＥ２２の処理に移行して、検像リスト画面１００を表示部３０に表示させる（ステップＥ２２）。
【００９８】
次いで、画像確認ボタン１０３の押下を入力部２０からの操作信号に基づいて検知した場合（ステップＥ２３；Ｙｅｓ）、画像確認画面１２０の表示を行う。ＣＰＵ１０は、検像リスト画面１００上で選択されている医用画像データＤＴ１の検査ＩＤを取得し、その検査ＩＤを有する医用画像データＤＴ１を検像画像ＤＢ６２から読み出す。そして、その読み出したシリーズ毎の医用画像データＤＴ１を一覧表示（例えば、サムネイル表示）する図１２のような画像確認画面１２０を表示部３０に表示させる（ステップＥ２４）。
【００９９】
また、ＣＰＵ１０は、画像確認画面１２０上に表示させた医用画像データＤＴ１のコピーを生成して検像中画像テーブル５１に記憶する（ステップＥ２５）。そして、画像確認画面１２０上の各ボタンの押下に応じた処理を行う。
【０１００】
具体的には、各医用画像データＤＴ１に対応するＯＫボタン１２２の押下を検知した場合には（ステップＥ２６；Ｙｅｓ）、そのＯＫボタン１２２に対応する医用画像データＤＴ１を転送画像テーブル５３に記憶する（ステップＥ２７）。
【０１０１】
また、画像処理ボタン１２４の押下を検知した場合には（ステップＥ３０；Ｙｅｓ）、当該画像処理ボタン１２４の押下に応じて入力された画像処理条件（例えば、コントラスト比の濃度の変更）を取得して、表示中の医用画像データＤＴ１に画像処理を施して更新する（ステップＥ３２）。
【０１０２】
また、図１２に示す付帯情報修正ボタン１２７が押下されたことを検知した場合には（ステップＥ３３；Ｙｅｓ）、付帯情報入力エリア１２８に入力された付帯情報を取得して、検像中画像テーブル５１内の医用画像データＤＴ１の付帯情報ＤＴ２を更新する（ステップＥ３５）。
【０１０３】
また、シリーズ分割ボタン１２５が押下されたことを検知した場合には（ステップＥ３６；Ｙｅｓ）、画像確認画面１２０上に表示中の医用画像データＤＴ１をシリーズ毎にシリーズ分割画面１３０上に表示させる（ステップＥ３７）。そして、その表示したシリーズ毎に医用画像データＤＴ１に対するユーザのシリーズ分割操作に応じて新たなシリーズＩＤを付帯情報ＤＴ２に設定して、検像中画像テーブル５１内の医用画像データＤＴ１を更新する（ステップＥ３８）。
【０１０４】
ＣＰＵ１０は、ステップＥ２７、Ｅ３２、Ｅ３５及びＥ３８の処理後、各ステップにおいて行った操作の内容を履歴データとして検像履歴テーブル６４に記憶する（ステップＥ２７）。そして、検査終了ボタン１２６の押下を検知するまで、ステップＥ２４に処理を移行して、ステップＥ２４〜Ｅ２８の処理を繰り返す。このようにして図６の検像処理や医用画像データＤＴ１の送信による処理結果が検像履歴テーブル６４に記憶されていくこととなる。
【０１０５】
図６のフローチャートにおいて、検像履歴ボタン１０５の押下を検知した場合（ステップＤ１；Ｙｅｓ）、ＣＰＵ１０は、検像履歴テーブル６４を読み出して図１４のような検像履歴画面１４０を表示部３０に表示させる（ステップＤ８）。そして、再検像ボタン１４３の押下を検知したか否かを判定し（ステップＤ９）、当該再検像ボタン１４３の押下を検知した場合には（ステップＤ９；Ｙｅｓ）、選択ボタン１４２が押下されている履歴データに基づいた検像を施した医用画像データＤＴ１を生成して転送画像テーブル５３に記憶する。
【０１０６】
例えば、図１４に示すように検像結果が「転送失敗」に対応する選択ボタン１４２が押下されている場合には、検査ＩＤが‘１１１１１１１１’、シリーズＩＤが‘２２２２２２２’の医用画像データＤＴ１を検像画像ＤＢ６２から読み出し、その医用画像データＤＴ１に対して検像履歴テーブル６４に基づいて受付番号‘１１１１１１１１’を‘１０５０８２９００３’に変更するデータ処理、画像番号‘２’の医用画像データＤＴ１のシリーズＩＤを‘２２２２２２２２’から‘３３３３３３３３’に変更するデータ処理を行って、転送画像テーブル５３に記憶する。
【０１０７】
以上、本実施形態によれば、ユーザによる医用画像データＤＴ１に対する検像の操作によるデータ処理の履歴や、当該医用画像データＤＴ１の送信の成否の履歴等を医用画像データＤＴ１の識別情報と対応付けて検像履歴テーブル６４に記憶し、その検像履歴テーブル６４に基づいてユーザが過去に行った検像の操作のデータ処理を行う。このため、ユーザは、過去に行った検像の操作を、再び繰り返すことなく、容易に当該検像の操作を検像装置１に行わせて、検像が施された医用画像データＤＴ１を生成させることができる。従って、過去に行った検像の操作を再利用できる使い勝手のよい検像装置１を実現することができる。
【０１０８】
尚、上述した実施形態では、検像装置１においてユーザの検像の履歴データを記憶することとして説明したが、この履歴の記憶をＰＡＣＳ２側で行ってもよい。例えば、サーバ３やクライアント４において医用画像データＤＴ１に対するユーザの検像の操作を検知し、その検像の履歴データを蓄積的に記憶する。そして、その履歴データに基づいてユーザの検像の操作を再生する。
【０１０９】
このとき、サーバ３又はクライアント４は、例えば、電子カルテシステムやＨＩＳに検像済みの医用画像データＤＴ１を送信し、その送信の成否を示す判定データを検像履歴テーブルに記憶して、上述した実施形態と同様に履歴の再生を行うこととしてもよい。
【０１１０】
また、ステップＤ１０において検像履歴テーブル６４に基づいた処理を施した医用画像データＤＴ１を転送画像テーブル５３に記憶して、ステップＤ７に処理を移行することとして説明したが、例えば、画像確認画面１２０上で指定された選択ボタン１４２が転送失敗の履歴データを示す場合には、ステップＤ１０からステップＤ１１に処理を移行して、自動的に医用画像データＤＴ１をサーバ３に送信することしてもよい。
【図面の簡単な説明】
【０１１１】
【図１】放射線科システムのシステム構成の一例を示すブロック図。
【図２】検像装置の機能構成の一例を示すブロック図。
【図３】比較対象項目ファイルのデータ構成の一例を示す図。
【図４】不整合判定テーブルのデータ構成の一例を示す図。
【図５】検像履歴テーブルのデータ構成の一例を示す図。
【図６】放射線科システムの動作を説明するためのフローチャート。
【図７】検像処理の処理内容を説明するための第１のフローチャート。
【図８】検像処理の処理内容を説明するための第２のフローチャート。
【図９】検像処理の処理内容を説明するための第３のフローチャート。
【図１０】検像リスト画面の表示例を示す図。
【図１１】不整合修正画面の表示例を示す図。
【図１２】画像確認画面の表示例を示す図。
【図１３】シリーズ分割画面の表示例を示す図。
【図１４】検像履歴画面の表示例を示す図。
【符号の説明】
【０１１２】
Ｍ      モダリティ
１      検像装置
３      サーバ
４      クライアント
１０    ＣＰＵ
２０    入力部
３０    表示部
４０    通信部
６０    ＲＡＭ
５１    検像中画像テーブル
５２    不整合判定テーブル
５３    転送画像テーブル
６０    記憶部
６１    オーダ情報ＤＢ
６２    検像画像ＤＢ
６３    比較対象項目ファイル
６４    検像履歴テーブル
ＤＴ１  医用画像データ
ＤＴ２  付帯情報
ＤＴ３  実画像データ
ＤＴ５  オーダ情報
【図１】
2008161532.tif 000003
【図２】
2008161532.tif 000004
【図３】
2008161532.tif 000005
【図４】
2008161532.tif 000006
【図５】
2008161532.tif 000007
【図６】
2008161532.tif 000008
【図７】
2008161532.tif 000009
【図８】
2008161532.tif 000010
【図９】
2008161532.tif 000011
【図１０】
2008161532.tif 000012
【図１１】
2008161532.tif 000013
【図１２】
2008161532.tif 000014
【図１３】
2008161532.tif 000015
【図１４】
2008161532.tif 000016